(57)【特許請求の範囲】
【請求項１】
弾性材料よりなる椀形状の吸盤を備え、ひも体巻取り機構を内蔵したケースと、前記ひも体巻取り機構に一端を連結し、他端に係止部を設けたひも体と、前記係止部を係止する被係止部および前記吸盤と同一構成の吸盤を備えたホルダとよりなる物干し装置であって、
前記ケースは、前記ケースに巻取られているひも体を取り出したり、ひも体の係止部を被係止部から外してひも体を巻取る際に回転する回転体を備えており、
また、前記各吸盤の上面外周縁に、多数の鋸歯形状片が全周にわたり連続してなる鋸歯部が形成されており、
前記ケースの環状下面および前記ホルダの環状下面には、前記鋸歯部に噛合可能なように、多数の鋸歯形状片が全周にわたり連続してなる鋸歯部がそれぞれ形成されており、
さらに、前記各吸盤は外周側面に形成したリップ部を有することを特徴とする物干し装置。
【発明の詳細な説明】
【０００１】
【発明の属する技術分野】
この発明は物干し装置に関するものである。
【０００２】
【従来の技術および発明が解決しようとする課題】
従来この種の物干し装置として、使用時には、ケース内に巻取られているひも体を取り出してひも体の一端に設けた掛金具をホルダに係止する一方、不使用時には、ひも体の掛金具をホルダから外して手動あるいは自動でひも体をケースに巻取るタイプのものが知られているけれども、ビス止めによってケースとホルダの両方を位置決め固定するから、例えば浴室内では、固定場所が浴室の壁面というふうに限られた場所においてしか使用できなかった。また、ビス止めするので施工性が悪かった。
【０００３】
この発明は、平坦面であれば場所を問わずにケースとホルダの両方を位置決め固定できる上に、ケースとホルダの両方共平坦面に対して簡易着脱可能な施工性の良い物干し装置を提供することを目的とする。
【０００４】
【課題を解決するための手段】
上記目的を達成するために、この発明の物干し装置は、弾性材料よりなる椀形状の吸盤を備え、ひも体巻取り機構を内蔵したケースと、前記ひも体巻取り機構に一端を連結し、他端に係止部を設けたひも体と、前記係止部を係止する被係止部および前記吸盤と同一構成の吸盤を備えたホルダとよりなる物干し装置であって、
前記ケースは、前記ケースに巻取られているひも体を取り出したり、ひも体の係止部を被係止部から外してひも体を巻取る際に回転する回転体を備えており、
また、前記各吸盤の上面外周縁に、多数の鋸歯形状片が全周にわたり連続してなる鋸歯部が形成されており、
前記ケースの環状下面および前記ホルダの環状下面には、前記鋸歯部に噛合可能なように、多数の鋸歯形状片が全周にわたり連続してなる鋸歯部がそれぞれ形成されており、
さらに、前記各吸盤は外周側面に形成したリップ部を有することを特徴とする。
【０００５】
【発明の実施の形態】
以下にこの発明の実施の形態について説明する。なお、この発明はそれによって限定されるものではない。
【０００６】
図１〜図３は、ケースに手動式ひも体巻取り機構を内蔵してあるこの発明の第１の実施形態を示す。なお、この実施形態では、キャンプ場等のアウトドアにおいて駐車している２台の自動車の窓にそれぞれケースとホルダを固定し、自動車間にひも体を張っている場合を示している。
【０００７】
図１〜図３において、１は、１台目の自動車Ａの窓２の外面２ａに取り付けられるケースで、弾性材料よりなる椀形状の吸盤３を備え、ひも体巻取り機構４を内蔵している。５は洗濯物を干したりするひも体である。このひも体５の一端はひも体巻取り機構４に連結されており、ひも体５の他端には係止部としての掛金具６が設けられている。
【０００８】
７は、２台目の自動車Ｂの窓８の外面８ａに取り付けられるホルダで、弾性材料よりなる椀形状の吸盤９と、ひも体５の掛金具６を係止する被係止部１０とを備えている。この実施形態では、吸盤９と吸盤３とは同一構成のものを採用している。
【０００９】
１１はケース本体で、切欠部１２を有する状態で吸盤３の上面外周縁に当接する基部１３と、この基部１３に対して回転可能に設けられる椀形状の回転体１４とで構成される。この回転体１４はひも体５が巻回されたボビン１５を内側に有し、回転体１４および切欠部１２によって前記ひも体巻取り機構４が構成される。また、基部１３の中央にはボルト２３（後述する）が貫通する孔１３ａが形成されている。
【００１０】
以下、ケース１の吸着機構について説明する。
ケース１の吸着機構は、窓２の外面２ａに吸着させる弾性材料よりなる椀形状の吸盤３と、吸盤３押圧用のボタン１６と、六角ナット１７および座金１８と、コイルスプリング１９と、吸盤３に埋設固着された板体２０と、吸盤３の中央に頭部２１が埋設固着されねじ部２２を窓２の外面２ａとは直角な方向に突出させているボルト２３とから主として構成される。
【００１１】
更に、前記回転体１４は中央上面に凹所２４を有するとともに、凹所２４の中央には孔２４ａが穿設されている。この孔２４ａはボビン１５の中央に形成されている。また、前記基部１３の環状下面には、多数の鋸歯形状片ｂが全周にわたり連続してなる鋸歯部２５が形成されている。
【００１２】
一方、吸盤３の上面外周縁にも前記鋸歯部２５と同様に、多数の鋸歯形状片ｃが全周にわたり連続してなる鋸歯部２６が形成されており、ケース本体１１の基部１３の前記環状下面を吸盤３の前記上面外周縁に当接させた状態で吸盤３を窓２の外面２ａとは直角な方向に押圧できるように構成されている。この場合、鋸歯部２５，２６同士が噛合うことにより、ケース本体１１の回り止めを防止できる。
【００１３】
前記吸盤３は、中央平坦面ｍを有する中央部２７と、この中央部２７から斜め下方に折れ曲がった折曲部２８と、セット時に窓２の外面２ａに当接する当接部２９とで構成されている。
【００１４】
また、吸盤３内の前記板体２０は、窓２の外面２ａに略平行に配置されており、この実施形態では中央にボルト２３の貫通孔２０ａを有する略円板状のものが採用されている。そして、前記ボルト２３に貫通孔２０ａを介して板体２０を遊嵌貫通させ、かつボルト２３の前記頭部２１の裏面２１ａに結合された状態で板体２０が頭部２１と共に吸盤３に埋設されている。例えば板体２０が金属製の場合は、ろう付けのような結合手段でボルト２３に結合され、板体２０が合成樹脂製の場合は、接着剤によりボルト２３に結合されうる。前記板体２０は、ボルト２３の頭部２１よりも長い径を有し、吸盤３の中央部２７の領域を十分覆うことができる大きさに形成されている。２０ｂは、板体２０の外周縁で、前記中央平坦面ｍに平行設置されている中央部２７から斜め下方に折れ曲がった状態で延設されている。なお、前記板体２０を、ボルト２３の前記頭部２１の表面２１ｂ側に配置してもよい。
【００１５】
また、ケース本体１１の基部１３の中央に穿設された中央孔１３ａとボビン１５の前記中央孔２４ａにはボルト２３が遊嵌貫通している。そして、前記ボタン１６が六角ナット１７および座金１８を介してねじ部２２の先端に固定されており、前記ボタン１６は押圧用のボタンとして機能する。この場合、前記ボタン１６の裏側には、六角ナット１７が嵌合可能な大きさの段差ｎ付の嵌合穴３２が形成されており、ねじ部２２の最先端面２２ａが嵌合穴３２の最底面３２ａに当たるまで六角ナット１７を締め付けることで前記ボタン１６がねじ部２２の先端に固定される。しかも、非押圧時（使用前）においては、前記ボタン１６の押圧面ｅが回転体１４の周囲前面ｔよりも突出して設けられている。
【００１６】
更に、前記ボタン１６を押圧した際には、押圧面ｅが前記周囲前面ｔよりもごく僅かだけ突出した状態で位置してケース１が取り付けられる。
【００１７】
３３は、吸盤３の外周側面に形成したリップ部である。また、５０は環状突起で、基部１３のボビン１５回転面Ｓ上にボビン１５の外周面Ｒを覆うように形成してあり、ボビン１５の回転に伴い巻回されているひも体５がボビン１５と回転面Ｓとの間に挟まれるのを防止する。
【００１８】
次に、ホルダ７の吸着機構について説明するが、ケース１の吸着機構の場合と同様の構成が採用されている。よって、ホルダ７の吸着機構で示す符号が、ケース１の吸着機構の場合に示した符号と同一のものは、同一または相当物である。
【００１９】
ホルダ７の吸着機構も、窓８の外面８ａに吸着させる弾性材料よりなる椀形状の吸盤９と、吸盤９押圧用のボタン１６と、六角ナット１７および座金１８と、コイルスプリング１９と、吸盤９に埋設固着された板体２０と、吸盤９の中央に頭部２１が埋設固着されねじ部２２を窓８の外面８ａとは直角な方向に突出させているボルト２３とから主として構成される。４０はホルダ本体で、中央上面にコイルスプリング１９が収容される凹所２４を有するとともに、凹所２４の中央にはねじ部２２が貫通する孔２４ａが穿設されている。また、ホルダ本体４０の環状下面には、多数の鋸歯形状片ｂが全周にわたり連続してなる鋸歯部２５が形成されている。
【００２０】
而して、ケース１を窓２の外面２ａに取り付けるには、ホコリ、汚れ、油気等を除去した後、吸盤３を外面２ａに押し当てる。
【００２１】
この状態で、ボタン１６を窓２側に強く押し、吸盤３を変形させて外面２ａおよび吸盤３間に形成される空間４４内を真空状態にする。すなわち、ボタン１６を押し、コイルスプリング１９を圧縮した状態でボルト２３および板体２０を通して吸盤３を強圧することにより空間４４の空気を押し出し、コイルスプリング１９の引張り荷重により、吸盤３の中央部２７に強力な吸着力が発生する。これにより、ケース１を窓２の外面２ａに強力に取り付けることができる。なお、同様の手順にてホルダ７を窓８の外面８ａに取り付けることができるので説明は省略する。
【００２２】
つまり、従来では、ビスを用いているので窓２に取り付けることは不可能であったのを、この発明では、コイルスプリング１９の圧縮を利用して吸盤３を引張っるように構成することで、平坦面であれば場所を問わずにケース１とホルダ７の両方を位置決め固定できる上に、ケース１とホルダ７の両方共平坦面に対して簡易着脱可能で、更に施工性が良好であるという利点を有する。
【００２３】
このように、吸盤３，９を窓２，８に押し当てた状態で、周囲前面ｔから突出しているボタン１６を強く押すだけの容易な操作で確実にケース１とホルダ７を窓２，８に取り付けることができる。
【００２４】
また、ケース１とホルダ７の取り付け状態から、リップ部３３をつまみ上げ、空間４４内に空気を入れるだけでケース１とホルダ７を窓２，８から簡単に取り外しできる。
【００２５】
続いて、ケース１に巻取られているひも体５の略全長を取り出してひも体５の一端に設けた掛金具６をホルダ７の被係止部１０に係止することでひも体５に洗濯物等を干すことができる。
【００２６】
そして、不使用時にはひも体５の掛金具６をホルダ７から外し、手動で回転体１４を回してひも体５がボビン１５に巻取られる。
【００２７】
図４、図５は、ケース１に手動式ひも体巻取り機構４を内蔵してあるこの発明の第２の実施形態を示す。なお、図４、図５において、図１〜図３に示した符号と同一のものは、同一または相当物である。
この実施形態において上記第１の実施形態と異なっている点は、回転体１４および切欠部１２によって構成されるひも体巻取り機構４のボビン５５の形状である。すなわち、この実施形態では、上記第１の実施形態のボビン１５の中央に穿設された孔２４ａの長さが短くなっており、その分回転体１４の厚みが薄くなっている。
【００２８】
図６は、ケース１に自動式ひも体巻取り機構６０を内蔵してあるこの発明の第３の実施形態を示す。なお、図６において、図１〜図５に示した符号と同一のものは、同一または相当物である。
この実施形態では、自動式ひも体巻取り機構６０が、上記第１の実施形態のボビン１５と同形状のボビン１５ａを有する回転体１４と、切欠部１２と、ボビン１５ａの外周部分Ｐおよび内周部分Ｑ間に介装されたねじりばね６１と、ボビン１５ａの外周部分Ｐのボタン１６側の端面ｒに形成された係止溝６２と、この係止溝６２に係止可能なロック部材６３と、このロック部材６３を係止溝６２への係止方向に常時付勢するばね６４とから構成される。
【００２９】
すなわち、この実施形態では、係止溝６２からロック部材６３を解除することでケース１に巻取られているひも体５をねじりばね６１の付勢力に抗して適宜の長さだけ取り出すことができる。一方、巻取り時においても、ひも体５の掛金具６をホルダ７から外すとともに、係止溝６２からロック部材６３を解除することでねじりばね６１の付勢力によって自動的に回転体１４を回してひも体５をボビン１５ａに巻取ることができる。
【００３０】
【発明の効果】
以上説明したように、この発明によれば、ボタンが六角ナットおよび座金を介してねじ部の先端に固定されており、ボタンを壁面とは直角な方向に押すとボルトもボタンとともに移動し、板体を通して吸盤を強圧できるので、平坦面であれば場所を問わずにケースとホルダの両方を位置決め固定できる上に、ケースとホルダの両方共平坦面に対して簡易着脱可能な施工性の良い物干し装置を提供できる。
【図面の簡単な説明】
【図１】  この発明の第１の実施形態における使用状態を示す斜視図である。
【図２】  上記実施形態を示す構成説明図である。
【図３】  上記実施形態における要部斜視図である。
【図４】  この発明の第２の実施形態を示す構成説明図である。
【図５】  上記第２の実施形態における要部斜視図である。
【図６】  この発明の第３の実施形態を示す構成説明図である。
【符号の説明】
１…ケース、３，９…吸盤、４…ひも体巻取り機構、５…ひも体、６…係止部、７…ホルダ、１０…被係止部、１７…六角ナット、１８…座金、１９…コイルスプリング、２０…板体、２３…ボルト、２５，２６…鋸歯部、３３…リップ部、ｂ，ｃ…鋸歯形状片。
【図１】
0004132206.tif 000002
【図２】
0004132206.tif 000003
【図３】
0004132206.tif 000004
【図４】
0004132206.tif 000005
【図５】
0004132206.tif 000006
【図６】
0004132206.tif 000007